(57)【要約】【課題】テレビジョン受信機内に動き検出回路を備えなくとも、動きベクトルを用いた高画質化を行う技術を提供する。【解決手段】テレビジョン受信機は、外部から映像信号が入力される映像信号入力部と、外部から映像信号の動き情報が入力される動き情報入力部と、前記映像信号と前記動き情報を用いて高画質化された映像を生成する高画質化部とを備え、動き検出回路を備えた機器で検出された動き情報を、映像信号路とは別の通信路を通じて受け取り、その動き情報を用いて高画質化処理を行う。【選択図】図１
2009141914.tif 000002
【特許請求の範囲】
【請求項１】
テレビジョン受信機において、
外部から映像信号が入力される映像信号入力部と、
外部から映像信号の動き情報が入力される動き情報入力部と、
前記映像信号と前記動き情報を用いて高画質化された映像を生成する高画質化部と、を備えることを特徴とするテレビジョン受信機。
【請求項２】
請求項１に記載のテレビジョン受信機において、
前記動き情報には、
映像の動き成分を示す動きベクトル情報と、
前記映像と前記動きベクトル情報の時間的整合性をとるための同期信号と、
前記映像と前記動きベクトル情報を一意に結びつけるためのコンテンツＩＤと、を含むことを特徴とするテレビジョン受信機。
【請求項３】
請求項１に記載のテレビジョン受信機において、
前記動き情報が入力された場合には、該動き情報を用いた高画質化を行った映像を、
前記動き情報が入力されなかった場合には、該高画質化を行わない映像を、表示することを特徴とするテレビジョン受信機。
【請求項４】
請求項１に記載のテレビジョン受信機において、
前記映像信号入力部と前記動き情報入力部には、別の信号路によって外部から前記映像信号および前記映像信号の動き情報が入力されることを特徴とするテレビジョン受信機。
【請求項５】
請求項１に記載のテレビジョン受信機において、
動き情報検出部を備え、
前記動き情報検出部は、
前記動き情報が入力された場合には、入力された動き情報と映像信号を基にした更なる動き情報検出を、
前記動き情報が入力されなかった場合には、映像信号を基にした動き情報検出を、行うことを特徴とするテレビジョン受信機。
【請求項６】
テレビジョン受信機において、
外部から映像信号が入力される映像信号入力部と、
外部から映像信号の動き情報が入力される動き情報入力部と、
前記映像信号と前記動き情報を用いて高画質化された映像を生成する高画質化部と、
前記映像と前記動きベクトル情報を一意に結びつけるためのコンテンツＩＤを出力する、コンテンツＩＤ出力部と、
を備えることを特徴とするテレビジョン受信機。
【請求項７】
請求項６に記載のテレビジョン受信機において、
前記動き情報には、
映像の動き成分を示す動きベクトル情報と、
映像と動きベクトル情報の時間的整合性をとるための同期信号と、
映像と動きベクトル情報を一意に結びつけるためのコンテンツＩＤと、を含むことを特徴とするテレビジョン受信機。
【請求項８】
請求項６に記載のテレビジョン受信機において、
前記動き情報が入力された場合には、該動き情報を用いた高画質化を行った映像を、
前記動き情報が入力されなかった場合には、該高画質化を行わない映像を、表示することを特徴とするテレビジョン受信機。
【請求項９】
請求項６に記載のテレビジョン受信機において、
前記映像信号入力部と前記動き情報入力部には、別の信号路によって外部から前記映像信号および前記映像信号の動き情報が入力されることを特徴とするテレビジョン受信機。
【請求項１０】
請求項６に記載のテレビジョン受信機において、
前記映像信号入力部から入力された映像から、前記コンテンツＩＤを生成し、前記コンテンツＩＤ出力部から出力することで、映像に合致した動き情報を要求することを特徴とするテレビジョン受信機。
【請求項１１】
請求項６に記載のテレビジョン受信機において、
動き情報検出部を備え、
前記動き情報検出部は、
前記動き情報が入力された場合には、入力された動き情報と映像信号を基にした更なる動き情報検出を、
前記動き情報が入力されなかった場合には、映像信号を基にした動き情報検出を行うことを特徴とするテレビジョン受信機。
【発明の詳細な説明】
【技術分野】
【０００１】
本発明は、テレビジョン受信機の高画質化技術に関するものである。
【背景技術】
【０００２】
テレビジョン受信機において、映像信号の動き情報は、ノイズリダクション処理、インタレース・プログレッシブ変換処理、スケーリング処理、フレームレート変換処理など、多岐に渡り用いられる。通常、動き情報は、テレビジョン受信機に入力された映像信号から、テレビジョン受信機に備えられた動き情報検出部によって求められる。
【０００３】
しかし、動き情報を求めるには、多大な情報処理が必要となるため、動き情報検出部も回路規模が大きくなり、技術的、コスト的にテレビジョン受信機に動き情報検出部を実装することは困難であることが多い。
例えば、特許文献１では、動ベクトルを重畳した映像信号を配信し、テレビジョン受信機側で動ベクトルと映像信号を分離することにより、動ベクトルを用いた高画質化を図る手法が示されている。
【特許文献１】特開平６−２１７２８９号公報
【発明の開示】
【発明が解決しようとする課題】
【０００４】
しかし、従来技術の手法では、動きベクトル検出部を備えた装置に、映像信号配信装置も備える必要があり、事実上放送局からの動きベクトル配信に限定されてしまう。
【０００５】
本発明は、上記課題に鑑みてなされたものであって、その目的は、レコーダ、ビデオカメラ、テレビジョンなど、動き検出回路を備えた機器で生成された動き情報を、動き検出回路を備えていないテレビジョン受信機と共有することで、テレビジョン受信機内の動き情報検出部の削減を図ることにある。 
【課題を解決するための手段】
【０００６】
上記目的を達成するために、本発明は、テレビジョン受信機に、映像信号を入力する映像信号入力部と、動き情報が入力される動き情報入力部と、映像信号の高画質化行う高画質化部を置く。
【０００７】
映像信号入力部には、映像信号路を通じて、外部から映像信号が入力される。
動き情報入力部には、信号路を通じて、外部から動き情報が入力される。
【０００８】
動き情報は、映像からその動き成分を抽出した動きベクトル情報、および映像信号と動きベクトル情報との時間的整合をとるための同期信号、および映像信号を一意に特定するためのコンテンツＩＤから構成される。
【０００９】
高画質化部では、動き情報に含まれる同期信号を用いて、映像信号と動き情報中の動きベクトル情報の整合性を図った後、映像信号に対して動きベクトル情報を用いた高画質処理を行う。上記高画質処理は、例えば、ノイズリダクション処理やインタレース・プログレッシブ変換処理、スケーリング処理、フレームレート変換処理、などである。
【発明の効果】
【００１０】
本発明によれば、テレビジョン受信機内に動き情報検出部を備えなくても、動き情報を用いた映像信号の高画質化を行うことが可能となる。
【発明を実施するための最良の形態】
【００１１】
以下、本発明の実施の形態について、図面を参照しつつ説明する。
【実施例１】
【００１２】
本発明の第１実施例について、図１から図５を用いて説明する。図１は、テレビジョン受信機の第１実施例を示すブロック図である。以下の説明においては、入力される映像信号はディジタル形式であるとする。よって、テレビジョン受信機がアナログ映像信号を受信した場合には、これをディジタル映像信号に変換して図１に示される回路に供給される。
【００１３】
本実施例に係るテレビジョン受信機３０２は、映像信号入力部１００、動き情報入力部１０１、動き情報記憶部１０２、高画質化部１０３、映像表示部１０４、セレクタ１０５から構成される。前記映像信号入力部１００は、映像信号路２００を通じて外部から映像信号を受け取り、映像信号の形式に応じて、適宜チューニングやデコード等を行い、高画質化部１０３およびセレクタ１０５に映像を送る。このとき、映像の画質は、動き情報による高画質化がされていないテレビジョン映像と同等である。また、映像信号入力部１００が受け取る映像信号は、放送波、インターネットテレビ、ＤＶＤ、Ｂｌｕ−ｒａｙ  ｄｉｓｋ、ＨＤ  ＤＶＤなど、そのメディアや用途に依存しない。
【００１４】
前記動き情報入力部１０１は、信号路２０１を通じて外部から動き情報を受け取る。信号路２０１は、放送電波、放送用ケーブル、電話回線、インターネット回線、ＳＤカードやＤＶＤなど、そのメディアや用途に依存しない。このとき、動き情報は一般的に高圧縮が可能な情報であるため、前記映像信号路２００に比べて、信号路２０１は狭い帯域や小さな容量でも十分である。
【００１５】
前記動き情報は、映像の動きを表すベクトル情報、および映像信号を一意に特定するコンテンツＩＤおよびベクトル情報と映像信号の時間的な整合をとる同期信号から構成される。前記動き情報記憶部１０２は、動き情報入力部１０１から動き情報を受け取り、記憶する。前記高画質化部１０３は、映像を受け取ると、その映像を一意に特定するコンテンツＩＤを生成し、動き情報記憶部１０２にコンテンツＩＤを送信する。前記動き情報記憶部１０２は、コンテンツＩＤを受け取ると、コンテンツＩＤを基に動き情報を検索し、その動き情報を高画質化部１０３に返信する。
【００１６】
前記高画質化部１０３は、動き情報記憶部１０２から動き情報を受け取ると、その動き情報に含まれる同期信号を基に、映像と動き情報に含まれる動きベクトル情報の時間的整合をとりつつ、映像情報に対して動きベクトル情報を用いた高画質化処理を行い、高画質化された映像を生成し、セレクタ１０５に送る。
【００１７】
前記高画質化部１０３が行う動きベクトル情報を用いた高画質化処理は、例えば、ノイズリダクション処理やインタレース・プログレッシブ変換処理、スケーリング処理、フレームレート変換処理、などがある。
【００１８】
前記セレクタ１０５は、映像信号入力部１００から送られた従来画質の映像と高画質化部１０３から送られた高画質な映像から、適当な映像信号を選択して映像表示部１０４に送信する。例えば、高画質化部１０３では、動き情報記憶部１０２に映像に応じた動き情報が格納されていないときには、高画質な映像は生成されない。このとき、セレクタ１０５は従来画質の映像を必然的に選択する。また、従来画質の映像と高画質な映像の両方がセレクタ１０５に送られているとき、セレクタ１０５は、例えばユーザの指定によって、どちらの映像信号を映像表示部１０４に送信するか決定する。
【００１９】
前記映像表示部１０４は、セレクタ１０５より映像信号を受け取り、映像信号を可視化する。前記信号路２０１を通じて送られてくる動き情報は、前記テレビジョン受信機以外の動き情報検出部を備えた機器で生成される。図２は、動き情報検出部を備えた機器３０１の例であり、例えば、レコーダ、ビデオカメラ、テレビジョンなどが該当する。
【００２０】
動き情報検出部を備えた機器３０１は、映像信号入力部１１０および動き情報検出部１１１および動き情報出力部１１２を備える。前記映像信号入力部１１０は、映像信号路２１０を通じて映像信号を受け取り、映像信号の形式に応じて、適宜チューニングやデコード等を行い、動き情報検出部１１１に映像信号を送る。また、映像信号入力部１１０が受け取る映像信号は、放送波、インターネットテレビ、ＤＶＤ、Ｂｌｕ−ｒａｙ  ｄｉｓｋ、ＨＤ  ＤＶＤなど、メディアや用途によって限定されない。
【００２１】
前記動き情報検出部１１１は、映像信号入力部１１０より映像信号を受け取り、適当な動き検出アルゴリズムにより動きベクトル情報を生成し、映像信号と動きベクトル情報の整合をとる同期信号を生成し、さらに、映像信号からコンテンツＩＤを生成して、前記動きベクトル情報と前記同期信号と前記コンテンツＩＤを動き情報として、動き情報出力部１１２に送る。
【００２２】
動き情報出力部１１２は、動き情報を動き情報検出部１１１から受取り、信号路２０１を通じて配信する。このときの配信先は前記動き検出部を備えていない機器であり、不特定多数の動き検出部を備えていない機器へ一斉配信（ブロードキャスト）しても、特定の動き検出部を備えていない機器へ配信（マルチキャスト、ユニキャスト）しても構わない。また、動き情報出力部１１２と図１の動き情報入力部１０１は信号路２０１で接続されるが、任意の通信機器を経由してもよい。例えば、ルータ、スイッチ等のネットワーク機器を通じた接続であってもよい。
【００２３】
また、図３のように、本実施例に係るテレビジョン受信機３０２に、動き情報検出部１０７を備えてもよい。動き情報検出部１０７は、動き情報記憶部１０２から送信された動き情報を手掛かりに、映像信号入力部１００から送信された映像に対して、動き情報を検出し、高画質化部１０３に送る。動き情報検出の手掛かりがあるため、動き情報検出部１０７では、より高精度な動き情報の検出が期待できる。また、このとき動き情報が入力されなくても、動き情報検出部１０７は映像から（高精度ではないが）動き情報を検出できる。
【００２４】
図４は、本実施例における、動き検出回路を備えた機器３０１と動き検出回路を備えていないテレビジョン受信機３０２を含むもっともシンプルなシステム全体の構成例である。システムは、テレビジョン放送の放送局３００および動き検出回路を備えた機器３０１（図２に相当）および動き検出回路を備えていないテレビジョン受信機３０２（図１、図３に相当）から構成される。
【００２５】
放送局３００は、例えば、放送電波３１０を通じて、テレビジョン放送を動き検出回路を備えた機器３０１および動き検出回路を備えていないテレビジョン受信機３０２に配信する。動き検出回路を備えた機器３０１は、放送局３００から受信した映像を基に、動き情報を生成し、動き検出回路を備えていないテレビジョン受信機３０２に送る。このとき、動き検出回路を備えた機器３０１に映像表示部および高画質化部が備わっていれば、生成した動き情報を基に映像の高画質化を行い、可視化しても良い。
【００２６】
動き検出回路を備えていないテレビジョン受信機３０２は、放送局３００から受信した映像に対して、動き検出回路を備えた機器３０１から送られてきた動き情報を用いて映像の高画質化を行い、可視化する。
【００２７】
図４では、動き検出回路を備えた機器および動き検出回路を備えてないテレビジョン受信機が一対一の環境を想定しているが、動き検出回路を備えていないテレビジョン受信機は複数あってもよい。そのとき、動き検出回路を備えた機器は、動き情報を、動き検出回路を備えていない機器に対して、ブロードキャストまたはマルチキャストする。
【００２８】
図５は、動き検出回路を備えた機器３０７がレコーダであり、動き検出回路を備えた機器３０８がテレビジョンである場合のシステム構成例である。動き検出回路を備えた機器３０７は、放送局３００から映像を受信し記憶する。動き検出回路を備えた機器３０７が、映像信号路３１３を通じて動き検出回路を備えていないテレビジョン受信機３０８に映像を送るときに、動き検出回路を備えた機器３０７は、映像から動き情報を検出し、信号路３１１を通じて動き検出回路を備えていないテレビジョン受信機３０８に動き情報も送る。
【００２９】
動き検出回路を備えていないテレビジョン受信機３０８は、動き検出回路を備えた機器３０７から送られた映像および動き情報から、高画質な映像を生成し表示する。信号路３１１は、映像信号路３１３が例えばＨＤＭＩのように、映像や音声以外にもデータを送信できる規格であれば、映像信号路３１３と物理的に共用してもよい。
【実施例２】
【００３０】
本発明の第２実施例について、図６及び図７を用いて説明する。図６は、テレビジョン受信機の第２実施例を示すブロック図である。また、図７は動き信号検出部を備えた機器を示すブロック図である。以下の説明においては、入力される映像信号はディジタル形式であるとする。よって、テレビジョン受信機がアナログ映像信号を受信した場合には、これをディジタル映像信号に変換して図４に示される回路に供給される。
【００３１】
図６に示す本実施例に係るテレビジョン受信機３０４は、映像信号入力部１００、動き情報入力部１０１、高画質化部１０３、映像表示部１０４、セレクタ１０５、コンテンツＩＤ出力部１０６から構成される。
【００３２】
また、図７に示す動き信号検出部を備えた機器３０３は、映像信号入力部１１０および動き情報検出部１１１および動き情報記憶部１１３および動き情報出力部１１４を備える。
以下の説明では、実施例１との違いのみを説明する。実施例１との違いは、動き情報記憶部が動き信号検出部を備えた機器３０３側にあるか、動き検出回路を備えていないテレビジョン受信機３０４側にあるか、である。つまり、実施例１のテレビジョン受信機３０２は、動き信号検出部を備えた機器３０１から動き情報を受け取り、格納し続けるパッシブ型のテレビジョン受信機３０２であり、本実施例のテレビジョン受信機３０４は、動き信号検出部を備えた機器３０３に対して、映像信号に応じた必要な動き情報をリクエストして受け取るアクティブ型のテレビジョン受信機３０４である。
【００３３】
前記高画質化部１０３は、コンテンツＩＤをコンテンツＩＤ出力部に送り、コンテンツＩＤ出力部は、信号路２０２を通じて、動き信号検出回路を備えた機器３０３にコンテンツＩＤを送信する。前記信号路２０２は、コンテンツＩＤ出力部からの送信（アップロード）が可能であれば、そのメディアや用途に依存しない。
【００３４】
前記動き情報検出部１１１は、映像信号入力部１１０より映像が送られてくると動き情報を検出し、動き情報記憶部１１３に送る。前記動き情報記憶部１１３は送られてきた動き情報を記憶する。前記コンテンツＩＤ入力部１１５では、前記テレビジョン受信機から信号路２０２を通じて送られてきたコンテンツＩＤを受け取り、動き情報記憶部１１３に送る。前記動き情報記憶部１１３は、  コンテンツＩＤを受け取ると、コンテンツＩＤを基に動き情報を検索し、動き情報として動き情報出力部に送る。動き情報出力部１１４は、信号路２０１を通じて動き情報をテレビジョン受信機３０４に送る。
【００３５】
テレビジョン受信機３０４の動き情報入力部１０１は、信号路２０１を通じて送られてきた動き情報を動き情報入力部１０１に送る。動き情報入力部１０１は高画質化部１０３に動き情報を送る。コンテンツＩＤ出力部１０６と図１のコンテンツＩＤ入力部１１５は信号路２０２で接続されるが、任意の通信機器を経由してもよい。例えば、ルータ、スイッチ等のネットワーク機器を通じた接続であってもよい。
【００３６】
図８は、本実施例におけるシステム全体の構成例である。これは、放送映像の動き情報のみを提供するサービスがあること想定しており、動き検出回路を備えていないテレビジョン受信機３０４のユーザがそのサービスを利用するときのシステム構成である。システムは、テレビジョン放送の放送局３００および動き検出回路を備えた機器３０３（図７に相当）および動き検出回路を備えていないテレビジョン受信機３０４（図６に相当）から構成される。
【００３７】
実施例１のシステム全体の構成例との違いは、動き検出回路を備えていないテレビジョン受信機３０４がアクティブ型であることである。動き検出回路を備えた機器３０３は、放送局３００から受信した映像を基に、動き情報を生成し、記憶しておく。このとき、動き検出回路を備えた機器３０３に映像表示部および高画質化部が備わっていれば、生成した動き情報を基に映像の高画質化を行い、表示しても良い。
【００３８】
動き検出回路を備えていないテレビジョン受信機３０４は、放送局３００から受信した映像を基にコンテンツＩＤを生成し、イーサネット（登録商標）回線３１２を通じて、動き検出回路を備えた機器３０３に、コンテンツＩＤを送る。動き検出回路を備えた機器３０３は、受け取ったコンテンツＩＤを基に、記憶した動き情報の中から該当する動き情報を検索し、イーサネット回線３１４を通じて、動き情報を備えていないテレビジョン受信機３０４に送る。動き検出回路を備えていないテレビジョン受信機３０４は、動き検出回路を備えた機器３０３から送られてきた動き情報を用いて映像の高画質化を行い、表示する。
【００３９】
図８では、動き検出回路を備えた機器および動き検出回路を備えてないテレビジョン受信機が一対一の環境を想定しているが、図９のように、動き検出回路を備えていないテレビジョン受信機３０４，３０５，３０６が複数あってもよい。そのとき、動き検出回路を備えた機器３０３は、複数台ある動き検出回路を備えたテレビジョン受信機を把握し、動き情報の要求があった（コンテンツＩＤを送信してきた）機器に対して、動き情報を返信しなければならない。
【産業上の利用可能性】
【００４０】
本発明は、動き情報を用いた高画質化を行うテレビジョン受信機に適用される。特に、コスト等の問題によって動き情報検出回路を持つことが困難なテレビジョン受信機に有用である。
【図面の簡単な説明】
【００４１】
【図１】図１は、本発明の実施例１の動き情報を用いた高画質化が可能なテレビジョン受信機を示すブロック図である。
【図２】図２は、実施例１の動き検出回路を備えた機器の回路ブロックを示す図である。
【図３】図３は、本発明の実施例１のテレビジョン受信機の回路ブロックの他の例を示す図である。
【図４】図４は、実施例１のシステム構成例である。
【図５】図５は、動き検出回路を備えた機器３０７がレコーダである場合のシステム構成例である。
【図６】図６は、本発明の実施例２の動き情報を用いた高画質化が可能なテレビジョン受信機を示すブロック図である。
【図７】図７は、実施例２の動き検出回路を備えた機器の回路ブロックを示す図である。
【図８】図８は、実施例２の放送映像の動き情報のみを提供するサービスを利用するときのシステム構成例を示す図である。
【図９】図９は、動き検出回路を備えていないテレビジョン受信機が複数ある場合のシステム構成例である。
【符号の説明】
【００４２】
１００    映像信号入力部
１０１    動き情報入力部
１０２    動き情報記憶部
１０３    高画質化部
１０４    映像表示部
１０５    セレクタ
１０６    コンテンツＩＤ出力部
１０７    動き情報検出部
１１０    映像信号入力部
１１１    動き情報検出部
１１２    動き情報出力部
１１３    動き情報記憶部
１１４    動き情報出力部
１１５    コンテンツＩＤ入力部
２００    映像信号路
２０１    信号路
２０２    信号路
２１０    映像信号路
３００    放送局
３０１    動き検出回路を備えた機器
３０２    動き検出回路を備えていないテレビジョン受信機
３０３    動き検出回路を備えた機器
３０４    動き検出回路を備えていないテレビジョン受信機
３０５    動き検出回路を備えていないテレビジョン受信機
３０６    動き検出回路を備えていないテレビジョン受信機
３０７    動き検出回路を備えたレコーダ
３０８    動き検出回路を備えていないテレビジョン受信機
３１０    放送信号路
３１１    信号路
３１２    イーサネット回線
３１３    映像信号路
３１４    イーサネット回線
【図１】
2009141914.tif 000003
【図２】
2009141914.tif 000004
【図３】
2009141914.tif 000005
【図４】
2009141914.tif 000006
【図５】
2009141914.tif 000007
【図６】
2009141914.tif 000008
【図７】
2009141914.tif 000009
【図８】
2009141914.tif 000010
【図９】
2009141914.tif 000011